(57)【要約】【課題】既設基礎コンクリートＤに立設の既設管柱Ｈの損傷基部を強固かつ円滑に補強する。【解決手段】既設管柱Ｈ基部周りの既設基礎コンクリートを斫って穿孔Ｂを形成する。その穿孔内において、既設管柱基部外周面に２つ割りの補強カバー１０を嵌め、その補強カバーの下部外周面に２つ割りの円環状バンド２０を嵌める。そのバンドの長孔２４にボルト２５を挿通してその先端を既設管柱外周面に当接させて固定し、補強カバー内周面と既設管柱外周面との間に間隙を形成し、その間隙に補強カバーの全長に亘ってモルタルａを充填する。支持ブロック３０にアンカーボルト３３を挿通して既設基礎コンクリートに差し込み固定する。穿孔内には補強カバーの下部、バンド２０、支持ブロック３０及びアンカーボルト３３が埋設された状態で、コンクリートｂを打設する。【選択図】図１
2014148876.tif 000002
【特許請求の範囲】
【請求項１】
既設基礎コンクリート（Ｄ）に立てられた既設管柱（Ｈ）の損傷した基部外周面に嵌められる筒状補強カバー（１０）と、その補強カバー（１０）の下部外周面に嵌められる環状バンド（２０）と、そのバンド（２０）の周囲から突出した前記筒状軸方向の透孔（３２）が形成された支持ブロック（３０）とからなり、
上記補強カバー（１０）は、少なくとも対のカバー片（１１、１１）とからなって、その各カバー片（１１）は相互に一体可能となっており、
上記環状バンド（２０）は、少なくとも対のバンド片（２１、２１）とからなって、その各バンド片（２１）は相互に一体可能となっているとともに上記筒状軸方向に長い長孔（２４）が形成されており、
上記既設管柱（Ｈ）の損傷した基部周りの上記既設基礎コンクリート（Ｄ）を斫って穿孔（Ｂ）が形成され、その穿孔（Ｂ）内において、前記既設管柱（Ｈ）の損傷した基部外周面に上記カバー片（１１）を当てがい一体化されて上記補強カバー（１０）が嵌め込まれているとともに、
その補強カバー（１０）の下部外周面に上記バンド片（２１）を当てがい一体化されて上記環状バンド（２０）が嵌め込まれ、上記長孔（２４）にバンド（２０）に固定のボルト（２５）を挿通してその先端を上記既設管柱（Ｈ）の外周面に当接させて前記補強カバー（１０）内周面と前記既設管柱（Ｈ）の外周面との間に間隙が形成されているとともに両者（１０、２０）が一体化され、前記間隙に補強カバー（１０）の全長に亘ってモルタル（ａ）が充填されており、
上記支持ブロック（３０）には上記透孔（３２）にアンカーボルト（３３）が挿通されて上記既設基礎コンクリート（Ｄ）に差し込み固定され、前記穿孔（Ｂ）内には、前記補強カバー（１０）の下部、バンド（２０）、支持ブロック（３０）及びアンカーボルト（３３）が埋設された状態で、コンクリート（ｂ）が打設されていることを特徴とする管柱補強構造。
【請求項２】
上記各カバー片（１１）内面の両各側縁にそれぞれコッター受け（１２）を設け、前記
各カバー片（１１）を筒状に合わせて補強カバー（１０）とし、そのカバー片（１１）の対向する両コッター受け（１２）にコッター（１４）を嵌めて前記対向するカバー片（１１）が一体化されていることを特徴とする請求項１に記載の管柱補強構造。
【請求項３】
上記支持ブロック（３０）をバンド片（２１）外周面に固定の支持片（３１）に固定し、その支持片（３１）でもって前記支持ブロック（３０）をバンド（２０）から離すようにしたことを特徴とする請求項１又は２に記載の管柱補強構造。
【請求項４】
請求項１に記載の管柱補強構造をなすための装置であって、上記補強カバー（１０）と、同環状バンド（２０）及び同支持ブロック（３０）とからなる管柱補強装置。
【発明の詳細な説明】
【技術分野】
【０００１】
この発明は、街路灯、交通標識又は看板等を支持してコンクリート基礎に立てられた（立設された）管柱の補強構造に関するものである。
【背景技術】
【０００２】
この種の管柱は、通常、道路脇のコンクリート基礎にその下部が埋設された状態で立てられている（特許文献１、図７参照）。
このような管柱は、通常、円筒状鋼管製であり、長期間経過すると、雨水が溜まりやすい地表面近くの基部の塗装が剥離し、その剥離個所が雨水によって腐食して弱くなる。このように基部が弱くなった管柱は、強風や人が触れただけで折れ曲がる恐れがあり、非常に危険である。近年、このような基部が腐食した管柱が多くなっている。
このため、既設管柱の損傷した基部外周面に円筒状補強カバーを嵌めて補強することが行なわれている（特許文献１、要約、図１〜図４、特許文献２、要約、図１参照）。
【先行技術文献】
【特許文献】
【０００３】
【特許文献１】特開２００６−７７５０２号公報
【特許文献２】特開２０１０−３１５４９号公報
【発明の概要】
【発明が解決しようとする課題】
【０００４】
上記従来の補強構造はそれなりに効果を発揮しているが、施工面や強度面等において問題が残っている。例えば、特許文献１記載の技術は、管柱の外周面に半割補強管を嵌めてボルト締めしているが、そのボルト締めしても半割補強管が円筒状になるだけで、その内周面が管柱の外周面と一致（同者の径が一致）するわけではないため、管柱の外周面と補強管の内周面の間に空隙が生じ、この空隙から、雨水が入り込む恐れがある。
【０００５】
特許文献２記載の技術は、補強管の下端にフランジ（鍔）を設けたものであり、そのフランジが新しく打設される基礎コンクリート内に埋設されるため、フランジがアンカー効果を発揮して強度の高いものとなっている。
しかし、通常、フランジは水平方向扁平状のため、基礎コンクリート内に埋設する際（特許文献２、図１、本願、図１参照）、そのフランジの下面にコンクリートが周り込みにくく、その下面に空洞が生じやすい。その空洞には水が浸みだして腐食の原因になるとともに、アンカー効果の低下を招く。
これに対し、特許文献１の図４に示されるように、アンカーボルトによるものはその空洞が生じる恐れは極めて少ない。
【０００６】
また、アンカー効果を発揮するフランジやアンカーボルト等は、基礎コンクリート内の所定の深さに位置させる必要がある。一方、補強管は設計上の補強効果を得るために管柱下部の所定位置に固定される必要がある。
特許文献１、２記載の技術には、その補強管を基礎コンクリート内の所定の深さに位置させる工夫１や管柱下部の所定位置に固定する工夫２は示されていない（開示されていない）。例えば、特許文献１の技術においては、補強管とベースや掛け渡しバンドが実質的に一体となっているため、工夫１を満足させれば、工夫２が満足させ得ない。特許文献２の技術は、補強管にフランジが溶接されているため、同様である。
【０００７】
この発明は、以上の実情の下、上記工夫１、２を同時に叶えることを課題とする。
【課題を解決するための手段】
【０００８】
上記課題を達成するために、この発明は、まず、既設管柱の損傷した基部外周面に嵌められる上記補強管である筒状補強カバーと、その補強カバーの下部外周面に嵌められる環状バンドと、そのバンドの周囲から突出した前記筒状軸方向の透孔が形成された支持ブロックとからなる構成の補強装置を採用したのである。
補強カバーとバンドが別ものであれば、前者に対し後者をその軸方向に移動させることができるため、補強カバーを基礎コンクリート内の所定の深さに位置させる状態において、バンドを補強カバーに対してその軸方向の任意の位置に移動固定することができる。
【０００９】
つぎに、この発明は、従来と同様に、補強カバー及びバンドは、少なくとも対のカバー片又はバンド片としたのである。このように、分割されていると、管柱外面に沿わせて嵌めることができる。
また、バンドは、筒状軸方向に長い長孔を形成し、その長孔を介して補強カバーにボルト締めするようにしたのである。この長孔内にボルトを移動させることによって補強カバーに対しその軸方向にベルトを移動固定することができるため、補強カバーを基礎コンクリート内の所定の深さに位置させた状態において、バンドを管柱下部の所定位置に固定させることができる。すなわち、上記工夫１、２を満足させることができる。
なお、補強カバー、バンドの横断面形状は既設管柱の横断面形状に合わせることが好ましい。例えば、既設管柱が円筒柱であれば、断面円状、同角筒柱であれば、断面角形とする。
【００１０】
このような構成の補強カバー、バンド及び支持ブロックによる既設管柱の補強装置は、まず、既設管柱の損傷した基部周りの既設基礎コンクリートを斫って穿孔（ピット）を形成する。つぎに、その穿孔内において、その補強カバーの下部外周面に上記バンド片を当てがい一体化して環状バンドを嵌め込み、上記長孔にバンドに固定のボルトを挿通してその先端を既設管柱の外周面に当接させて補強カバー内周面と前記既設管柱の外周面との間に間隙を形成するとともに両者を一体化し、その間隙に保強カバーの全長に亘ってモルタルを充填する。この充填によって、その間隙への雨水の侵入は阻止される。
【００１１】
つぎに、又はこのモルタルの充填に先駆けて、上記支持ブロックの透孔にアンカーボルトを挿通して既設基礎コンクリートに差し込み固定し、前記穿孔内に、前記補強カバーの下部、バンド、支持ブロック及びアンカーボルトが埋設された状態で、コンクリートを打設する。
支持ブロックは、アンカーボルトを挿通させて支持するものであれば良いため、極力小さくすることができ、コンクリートを打設した際、上記フランジのように、その下面に空洞が生じにくい。アンカーボルトは十分なアンカー効果を発揮する。
【００１２】
この管柱補強構造の構成において、補強カバー片の一体化手段としては、特許文献１、２に記載のボルト（ねじ）締め等の手段が採用し得るが、例えば、各カバー片内面の両各側縁にそれぞれコッター受けを設け、前記各カバー片を筒状補強カバーとした際、そのカバー片の対向する両コッター受けにコッターを嵌めて前記対向するカバー片を一体化する構成を採用することができる。
このコッターによる一体化は、コッターの嵌め込みのみによって行い得るため、その作業性が良い上に、補強カバーの外周面に突起物が生じない利点がある。
【００１３】
また、上記支持ブロックをバンド片外周面に固定の支持片に固定し、その支持片でもって前記支持ブロックをバンドから離すようにすれば、補強カバー（管柱）の軸心からアンカーボルトが離れる（遠くなる）ため、アンカーボルトの支持モーメントも大きくなってアンカー効果が向上する。この支持片もアンカーボルトに加わる力に対する抗力を有するものであれば良いため、極力小さくすることができる。このため、コンクリートを打設した際、上記フランジのように、その下面に空洞が生じにくい。支持片は、好ましくは幅方向が管柱の軸方向となる板片とすることが好ましい。
【発明の効果】
【００１４】
この発明は、以上のように構成したので、管柱を強固に補強するとともに、その劣化も招きにくいものとなる。
【図面の簡単な説明】
【００１５】
【図１】一実施形態の管柱補強構造の要部断面図
【図２】図１のＩ−Ｉ線断面図
【図３】図１のＩＩ−ＩＩ線断面図
【図４】図１のさらに要部切断断面図
【図５】図１の一部切断平面図
【図６】図１のコッター部を示し、（ａ）は要部断面図、（ｂ）は要部正面図、（ｃ）はコッター受けの斜視図
【図７】同実施形態の補強カバー等の分解斜視図
【図８】同実施形態の作業説明図
【図９】同作業説明図
【図１０】他のコッター構造を示し、（ａ）は平面図、（ｂ）は部分正面図、（ｃ）はコッターの平面図、（ｄ）は同コッターの断面図、（ｅ）は（ａ）において補強カバー片を合わせた平面図、（ｆ）はコッターを補強カバー（コッター受け）に嵌めた平面図、（ｇ）は（ｆ）の一部切断正面図
【発明を実施するための形態】
【００１６】
この一実施形態は、鋼管製の交通標識用既設管柱Ｈの基礎が雨水等によって腐食損傷した場合、その補強をするものであり、図１〜図７に示すように、既設基礎コンクリートＤに立てられた円筒状既設管柱Ｈの損傷した基部外周面に嵌められる円筒状補強カバー１０と、その補強カバー１０の下部外周面に嵌められる円環状バンド２０と、そのバンド２０の周囲から突出した前記円筒状の軸方向の透孔３２が形成された支持ブロック３０とからなる。それら１０、２０、３０は何れも、錆難いステンレス製とすることが好ましいが、使用し得る限りにおいてその材質は任意である。
【００１７】
上記補強カバー１０は、図７に示すように対の断面円弧状カバー片１１、１１とからなる。その両カバー片１１の内面の両各側縁にそれぞれコッター受け(バー）１２がその縁に沿って設けられ、その内側にガイド片１３が設けられている。コッター受け１２は断面Ｌ字状をして、カバー片１１を図３に示すように円筒状補強カバー１０とした際、図５に示すように、その対向するコッター受け１２、１２が背中合わせになってＴ字状を呈する。このＴ字状コッター受け１２、１２にコッター１４を嵌め込む。コッター１４は断面コ字状をして、そのコ字状先端にさらに内側に向く爪１５を有する。この爪１５によってコッター受け１２を抱き込んで引き合わせ、両カバー片１１、１１を円筒状にして補強カバー１０を形成する。
【００１８】
コッター受け１２の上記コッター爪１５と圧接する面１２ａは下方に向かって徐々に盛り上がるテーパ面となっている（図６（ａ）参照）。この実施形態では、３種類のコッター１４が用意され、その各コッター１４、１４、１４は、その基片と爪１５の間隔（図５、図７のｔ参照）が３段階の幅となっている。このため、図１、図６に示すように、３個のコッター１４は、コッター受け１２の長さ方向（上下方向）の上下及びその中程に係止し、３点でもってカバー片１１を円筒状に強固に一体化する。
このコッター１４は、上からの嵌め込みであり、かつガイド片１３によってコッター受け１２に案内されるため、その作業が円滑である。なお、コッター１４の数及びその種類は、一体化が担保される限りにおいて任意である。
【００１９】
補強カバー１０の上端には２つ割りの蓋１６が嵌められ、ビスをその孔１６ａに通して補強カバー片１１の上端ブラケット１１ａのねじ孔にねじ込むことによって蓋１６が補強カバー１０の上端に固定される。このとき、蓋１６周囲の鍔の内周面１６ｂは下方に向かって徐々に外側に傾斜するテーパ面となっており、蓋１６の嵌め込みねじ固定によって補強カバー片１１がその中心に向かい締め付けられて強固に一体となった円筒状となる。
【００２０】
円環状バンド２０は、２つ割りの円弧状バンド片２１、２１とそのバンド片２１の両端の締結片２２とからなる。バンド２０の分割数は任意である。各バンド片２１は締結片２２をボルト２３により締結することによって一体とされて円環状のバンド２０が形成される。
【００２１】
バンド片２１には上下方向（円筒状軸方向）に長い長孔２４が周囲等間隔に形成され、この各長孔２４にナット２５ａをねじ込んだボルト２５を挿通し、その挿通した部分（先部）にナット２５ｂをねじ込み、両ナット２５ａ、２５ｂのねじ込み量の調整によって、図２、図３に示すように、バンド片２１（バンド２０）内面からのボルト２５の突出量がダブルナットによって決定されて固定される。このため、各ボルト２５のバンド２０内面からの突出量を適宜に調整してダブルナット２５ａ、２５ｂによる固定をすることによって、バンド２０と補強カバー１０がほぼ同心の円環状となって一体化し得る。
【００２２】
支持ブロック３０は、バンド片２１の円弧外面中央から外側に突出固定された上下幅方向の支持片３１と、バンド片２１の一方の締結片２２にそれぞれ固定されている。このため、締結片２２は前記支持片３１を兼用する。各支持ブロック３０の上下方向（上記円筒状軸方向）の透孔３２にアンカーボルト３３が挿通されてダブルナット３４によって支持ブロック３０に固定（ロック）される。透孔３２は長孔としたり、アンカーボルト３３が余裕をもって挿通するバカ孔としたりすることができる。但し、その長孔やバカ孔はナット３４又はボルト頭部が抜けない大きさとする。
このように、支持片３１でもって支持ブロック３０をバンド２０から離すようにすれば、補強カバー１０（管柱Ｈ）の軸心からアンカーボルト３３が離れる（遠くなる）ため、アンカーボルト３３の支持モーメントも大きくなって、アンカー効果が向上する。このとき、支持片３１もアンカーボルト３３に加わる力に対する抗力を有するものであれば良いため、極力小さくすることができる。その十分な抗力を担保できる限りに於いて、支持片３１の突出量、アンカーボルト３３の長さは適宜に設定する。
【００２３】
この実施形態の補強装置は以上の構成であり、この装置によって、既設基礎コンクリートＤに立てられた円筒状既設管柱Ｈの損傷した基部を補強するには、まず、図８（ａ）に示すように、その既設管柱Ｈ基部周りの既設基礎コンクリートＤを斫って穿孔（ピット）Ｂを形成する。
その穿孔Ｂ内において、同図（ｂ）に示すように、アンカーボルト３３を基礎コンクリートＤに差込み固定する。そのアンカーボルト３３は、ケミカルアンカー（日本デコラックス社：商品名）等の手段を採用する。
【００２４】
つぎに、同図（ｃ）に示すように、そのアンカーボルト３３に透孔３２を介して円環状バンド２０を嵌め込むとともに、既設管柱Ｈの基部外周面に補強カバー片１１、１１を当てがい、コッター１４でもって一体化して円筒状補強カバー１０をその基部外周面に嵌め込み固定する（図９（ａ））。このバンド２０の嵌め込みと補強カバー１０の嵌め込みはどちらが先でもよい。また、アンカーボルト３３もバンド２０を嵌めた後から既設基礎コンクリートＤに差し込み固定しても良い。
この補強カバー１０とバンド２０の既設管柱Ｈへの嵌め込みが終われば、図２、図３、図９（ｂ）に示すように、そのバンド２０に挿通したボルト２５の先端を既設管柱Ｈの外周面に当接させて補強カバー１０内周面と既設管柱Ｈの外周面との全周に亘って等間隙を形成するとともに両者１０、２０を一体化する。その間隙には補強カバー１０内面全長に亘ってモルタルａを充填する。
そのモルタルａの充填に先駆け、又は充填後、穿孔Ｂ内に補強カバー１０の下部、バンド２０、取付片３０及びアンカーボルト３３が埋設された状態で、コンクリートｂを打設する。
【００２５】
コッターによる補強カバー１０の一体化構造としては、種々の周知の手段が考えられるが、例えば、図１０（ｃ）、（ｄ）に示す円弧状コッター１４’と、同図（ａ）、（ｂ）に示すコッター受け１２’とによって構成し、同図（ｅ）に示すように、補強カバー片１１、１１を円弧状に重ねた後、同図（ｆ）、（ｇ）に示すように、そのコッター受け１２’にコッター１４’を嵌めてその補強カバー片１１、１１を一体化して円筒状補強カバー１０を形成する。
【符号の説明】
【００２６】
１０  補強カバー
１１  補強カバー片
１２、１２’  コッター受け
１３  ガイド片
１４、１４’  コッター
２０  円環状バンド
２１  円弧状バンド片
２２  締結片
２３  バンド片締結用ボルト
２４  長孔
２５  ボルト
３０  支持ブロック
３１  支持片
３２  支持ブロックの透孔
３３  アンカーボルト
ａ  モルタル
ｂ  打設コンクリート
Ｂ  穿孔（ピット）
Ｄ  既設基礎コンクリート
【図１】
2014148876.tif 000003
【図２】
2014148876.tif 000004
【図３】
2014148876.tif 000005
【図４】
2014148876.tif 000006
【図５】
2014148876.tif 000007
【図６】
2014148876.tif 000008
【図７】
2014148876.tif 000009
【図８】
2014148876.tif 000010
【図９】
2014148876.tif 000011
【図１０】
2014148876.tif 000012